(57)【特許請求の範囲】
【請求項１】
映像コンテンツを受信し、前記映像コンテンツに含まれるテロップを第１の画像読み込み間隔で検出するとともに、前記映像コンテンツに含まれる警告音を第１の警告音読み込み間隔で検出する第１検出部と、
前記第１検出部が、前記映像コンテンツからテロップと警告音の少なくとも１つを検出した場合に、前記映像コンテンツに含まれるテロップを前記第１の画像読み込み間隔より短い第２の画像読み込み間隔で検出するとともに、前記映像コンテンツに含まれる警告音を前記第１の警告音読み込み間隔より短い第２の警告音読み込み間隔で検出する第２検出部を備える電子機器。
【請求項２】
前記第２検出部でテロップが検出された場合に、前記映像コンテンツから検出されたテロップを除去する第１の除去部をさらに備える請求項１に記載の電子機器。
【請求項３】
前記第２検出部で警告音が検出された場合に、前記映像コンテンツから検出された警告音を除去する第２の除去部をさらに備える請求項１または請求項２に記載の電子機器。
【請求項４】
前記第２検出部でテロップおよび警告音のいずれも検出されない場合は、前記第１検出部が前記映像コンテンツに含まれるテロップと警告音を検出する請求項１乃至請求項３のいずれか１つに記載の電子機器。
【請求項５】
前記第１検出部でテロップおよび警告音が相互に検出された場合に、前記第２検出部で検出されるテロップおよび警告音に、予め設定された重み付けを用い、前記第２検出部でテロップと警告音の少なくとも１つが検出された場合に、速報の放送と判定する速報判定部をさらに備える請求項１乃至請求項４のいずれか１つに記載の電子機器。
【請求項６】
前記第１検出部、前記第２検出部および前記速報判定部は、前記映像コンテンツとして、複数の放送局から放送された複数放送番組を用いて、前記複数放送番組を同時並列にそれぞれ処理する請求項１乃至請求項５のいずれか１つに記載の電子機器。
【請求項７】
映像コンテンツを受信し、前記映像コンテンツに含まれるテロップを第１の画像読み込み間隔で検出するとともに、前記映像コンテンツに含まれる警告音を第１の警告音読み込み間隔で検出するステップと、
前記映像コンテンツからテロップと警告音の少なくとも１つが検出された場合に、前記映像コンテンツに含まれるテロップを前記第１の画像読み込み間隔より短い第２の画像読み込み間隔で検出するとともに、前記映像コンテンツに含まれる警告音を前記第１の警告音読み込み間隔より短い第２の警告音読み込み間隔で検出するステップを備える電子機器の制御方法。
【請求項８】
映像コンテンツを受信し、前記映像コンテンツに含まれるテロップと警告音を、それぞれ第１の画像読み込み間隔と第１の警告音読み込み間隔で検出するステップと、
前記映像コンテンツからテロップと警告音の少なくとも１つが検出された場合に、前記映像コンテンツに含まれるテロップを前記第１の画像読み込み間隔より短い第２の画像読み込み間隔で検出するとともに、前記映像コンテンツに含まれる警告音を前記第１の警告音読み込み間隔より短い第２の警告音読み込み間隔で検出するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、例えば、録画された番組やインターネット等で配信される映像コンテンツ等（以下映像コンテンツ）を視聴可能な電子機器が普及している。
【０００３】
これらの電子機器で映像コンテンツが再生され、視聴された場合、映像コンテンツにニュース速報や緊急地震速報等の速報が含まれていることがある。
【０００４】
しかし、例えば、映像コンテンツの再生が上記番組の放送からある程度の時間経過後に行なわれた場合は、上記速報は速報としての意味がなくなっており、例えば、テロップ表示や警告音が出力された場合に邪魔になり、ユーザにとって、映像コンテンツの視聴が妨げられる可能性があった。
【０００５】
このため、映像コンテンツの視聴の妨げを低減することが課題になっていた。
【先行技術文献】
【特許文献】
【０００６】
【特許文献１】特開２００１−１１８２９７号公報
【特許文献２】特開２００９−１７３２５号公報
【特許文献３】特開２００３−３３３４２４号公報
【発明の概要】
【発明が解決しようとする課題】
【０００７】
映像コンテンツの視聴の妨げを低減することが課題になっていた。
【課題を解決するための手段】
【０００８】
実施形態の電子機器は、映像コンテンツを受信し、前記映像コンテンツに含まれるテロップを前記第１の画像読み込み間隔で検出するとともに、前記映像コンテンツに含まれる警告音を前記第１の警告音読み込み間隔で検出する第１検出部を備える。
【０００９】
また、前記第１検出部が、前記映像コンテンツからテロップと警告音の少なくとも１つを検出した場合に、前記映像コンテンツに含まれるテロップを前記第１の画像読み込み間隔より短い第２の画像読み込み間隔で検出するとともに、前記映像コンテンツに含まれる警告音を前記第１の警告音読み込み間隔より短い第２の警告音読み込み間隔で検出する第２検出部を備える。
【図面の簡単な説明】
【００１０】
【図１】実施形態に係わる電子機器に表示されるテロップが、除去処理により表示されなくなるようすを示す外観図。
【図２】実施形態に係わる電子機器の構成の一例を示すブロック図。
【図３】実施形態に係わる電子機器で行なわれるテロップや警告音の検出および除去処理が行われる構成の一例を示すブロック図。
【図４】実施形態に係わる電子機器で行なわれる、テロップや警告音の検出および除去処理動作の概略を説明するフローチャート。
【図５】実施形態に係わる電子機器で行なわれる、テロップや警告音の検出および除去処理動作の詳細を説明するフローチャート。
【図６】他の実施形態に係わる電子機器の構成を示すブロック図。
【図７】他の実施形態に係わる電子機器の構成を示すブロック図。
【発明を実施するための形態】
【００１１】
以下、図面を参照し、実施の形態を説明する。
【００１２】
図１は、実施形態に係わる電子機器（テレビ）に表示されるテロップが、除去処理により表示されなくなるようすを示す外観図である。
【００１３】
図１（ａ）に示すように、例えば、録画された映像コンテンツには、「ニュース速報○○○」のテロップ１００が画像内に含まれており、映像コンテンツとして、この「ニュース速報○○○」のテロップ１００が表示出力されている。
【００１４】
この実施形態においては、後述するように、このテロップ１００を除去処理し、図１（ｂ）に示すように、テロップ１００が除去された映像コンテンツを表示出力する。
【００１５】
そして、この実施形態においては、例えば、録画された映像コンテンツを受信し、この映像コンテンツの画像に含まれるテロップを検出する。
【００１６】
そして、この検出されたテロップを映像コンテンツから除去処理し、テロップが表示されない映像コンテンツ画像を出力する。
【００１７】
また、この実施形態においては、例えば、録画された映像コンテンツに含まれる警告音を検出する。
【００１８】
そして、この検出された警告音を映像コンテンツの音声から除去処理し、警告音が出力されない映像コンテンツの音声を出力する。
【００１９】
なお、ここでは、電子機器としてテレビを用いて説明を行うが、この実施形態に係る電子機器は、テレビの他にタブレットＰＣやＰＣ（パーソナルコンピュータ）、スマートフォン、携帯電話等に適用することも可能である。
【００２０】
図２は、実施形態に係わる電子機器（テレビ）の構成の一例を示すブロック図である。
【００２１】
図２に示すように、例えば、電子機器（テレビ）１は、アンテナ２、チューナ３、信号処理部４、映像処理部５、音声処理部６、表示装置７、表示画面（映像表示部）８、スピーカ９、バス１０、制御部１１、ＣＰＵ１２、ＲＡＭ１３、ＲＯＭ１４、フラッシュメモリ１５、記憶部１６、内部記録装置１７、外部インターフェース１８、操作受信部２０、送受信部（ネットワークインターフェース）２２を備えている。
【００２２】
また、外部記憶装置１９は外部インターフェース１８を介して電子機器（テレビ）１に接続される。
【００２３】
ユーザは、例えば、リモートコントローラ（リモコン）２１を操作する。リモコン２１から出力されたリモコン信号は、電子機器（テレビ）１の操作受信部２０で受信される。
【００２４】
また、電子機器（テレビ）１は、ネットワーク（インターネット）２６を介して、サーバ２７と接続される。例えば、ネットワーク（インターネット）２６を介して、インターネット放送を受信可能である。
【００２５】
ここでは、制御部１１はＭＰＵ（１２）を備え、電子機器（テレビ）１を制御する。例えば、ＲＡＭ（１３）、ＲＯＭ（１４）、フラッシュメモリ１５は、制御部１１で行われる処理に利用される。
【００２６】
２５は放送局である。例えば、デジタル放送で放送局２５から映像コンテンツが放送される。
【００２７】
放送局２５から放送されたデジタル放送はチューナ３で受信され、選局処理が行われ、デジタル信号の映像コンテンツが信号処理部４に送信される。
【００２８】
信号処理部４で受信されたデジタル信号の映像コンテンツは信号処理が施され、音声処理部６および映像処理部５に送信される。
【００２９】
音声処理部６は信号処理が施された映像コンテンツを受信し、音声処理を施した信号をスピーカ９に送信する。
【００３０】
スピーカ９は音声処理が施された信号を受信し、音声を出力する。
【００３１】
また、映像処理部５は信号処理が施された映像コンテンツを受信し、映像処理を施した信号を表示装置７に送信する。
【００３２】
表示装置７は映像処理が施された信号を受信し、ＬＣＤパネル等で構成される表示画面（映像表示部）８に映像を表示する。
【００３３】
また、この実施の形態においては、電子機器（テレビ）１は内部記憶装置１７を備え、上記受信された映像コンテンツを記録することが可能である。
【００３４】
また、この実施の形態においては、電子機器（テレビ）１は上記のようにＵＳＢ接続やＬＡＮ接続される外部記憶機器１９を備えている。上記受信された映像コンテンツはこの外部記憶機器１９に記録することも可能である。
【００３５】
また電子機器（テレビ）１に対するユーザの操作は、例えば、上記のように、リモコン（リモートコントローラ）２１等の操作機器によって指示される。
【００３６】
これらの処理は、制御部１１に制御される。
【００３７】
また、上記のように、電子機器（テレビ）１は送受信部（ネットワークインターフェース）２２を介してサーバ２７に接続され、例えば、インターネット放送等を受信することが可能である。
【００３８】
図３は、実施形態に係わる電子機器で行なわれるテロップや警告音の検出および除去処理が行われる構成の一例を示すブロック図である。
【００３９】
上記のように、アンテナ２で受信され、チューナ３、デコーダ（信号処理部）４を経て出力された映像データ並びに音声データは、それぞれ、テロップ検出部５ａ、警告音検出部６ａへ入力される。
【００４０】
また、図２に示すように、例えば、内部記録装置１７や外部記録装置１９に記録（録画）された映像コンテンツの映像データ並びに音声データも同様に、それぞれ、テロップ検出部５ａ、警告音検出部６ａへ入力される。
【００４１】
そして、テロップ検出部５ａでは、テロップを検出し、その結果と映像データをテロップ除去部５Ｂへ入力する。テロップ検出処理の一例として、例えば、特開２００９−１７３２５号公報等に開示された技術を参考にしても良い。
【００４２】
また、テロップ除去部５ｂでは、除去すべきテロップが含まれていた場合に、テロップを除去する。テロップ除去処理の一例として、例えば、特開２００３−３３３４２４号公報等に開示された技術を参考にしても良い。
【００４３】
テロップ除去部５ｂは、その後、表示制御部５ｃにテロップが除去された映像データを渡し、表示制御部５ｃは、そのテロップが除去された映像データをディスプレイ８に表示出力する。
【００４４】
また、例えば、警告音検出部６ａでは、予め保持している参照警告音（図６）を利用し、マッチングを取ることで警告音を検出する。
【００４５】
そして、警告音検出部６ａは、この検出結果と音声データを警告音除去部６ｂへ入力する。
【００４６】
警告音除去部６ｂでは、警告音が含まれていた場合に、適応フィルタなどを利用して警告音を除去する。警告音除去部６ｂは、その警告音を除去した結果を音声信号制御部６ｃへ入力する。
【００４７】
音声信号制御部６ｃはスピーカ９等から音声データを再生出力する。
【００４８】
図４は、実施形態に係わる電子機器で行なわれる、テロップや警告音の検出および除去処理動作の概略を説明するフローチャートである。
【００４９】
ステップＳ１００は、ここでの開始ステップである。続いて、ステップＳ１０１に進む。
【００５０】
ステップＳ１０１は、上記のように、映像コンテンツを受信するステップである。続いて、ステップＳ１０２に進む。
【００５１】
ステップＳ１０２は、映像コンテンツに含まれるテロップと警告音を十数秒程度の間隔で検出するステップである（第１検出）。ここでは、第１の画像読み込み間隔をＴＶ１秒、第１の警告音読み込み間隔をＴＡ１秒とする。続いて、ステップＳ１０３に進む。
【００５２】
ステップＳ１０３は、テロップと警告音の少なくとも１つ（テロップと警告音のどちらかあるいは両方）が検出されたかを判別するステップである。テロップと警告音の少なくとも１つが検出されたと判別される場合は、ステップＳ１０４に進む（Ｙｅｓ）。テロップと警告音の少なくとも１つが検出されない（テロップと警告音のどちらも検出されない）と判別される場合は、ステップＳ１０２に進み、上記処理を繰り返す（Ｎｏ）。
【００５３】
ステップＳ１０４は、テロップと警告音の読み込み間隔を、それぞれ、ＴＶ１秒、ＴＡ１秒からＴＶ２秒、ＴＡ２秒と、短い間隔に差替え、変更するステップである（第２の画像読み込み間隔：ＴＶ２秒、第２の警告音読み込み間隔：ＴＡ２秒）。ここで、ＴＶ２秒、ＴＡ２秒は、例えば、数百ミリ秒間隔である。続いて、ステップＳ１０５に進む。
【００５４】
ステップＳ１０５は、上記のように変更された時間間隔（ＴＶ２秒、ＴＡ２秒）で、映像コンテンツに含まれるテロップと警告音を検出するステップである（第２検出）。続いて、ステップＳ１０６に進む。
【００５５】
ステップＳ１０６は、上記変更された時間間隔（ＴＶ２秒、ＴＡ２秒）で、テロップが検出されたか、を判別するステップである。テロップが検出されたと判別される場合は、ステップＳ１０７に進む（Ｙｅｓ）。テロップが検出されたと判別されない場合は、ステップＳ１０８に進む（Ｎｏ）。
【００５６】
ステップＳ１０７は、例えば、上記のように、映像コンテンツ画像から検出されたテロップを除去するステップである。続いて、ステップＳ１０５に進み、上記処理を繰り返す。
【００５７】
ステップＳ１０８は、警告音が検出されたかを判別するステップである。警告音が検出されたと判別される場合は、ステップＳ１０９に進む（Ｙｅｓ）。警告音が検出されたと判別されない場合は、ステップＳ１０２に進み、上記処理を繰り返す（Ｎｏ）。
【００５８】
ステップＳ１０９は、例えば、上記のように、警告音を除去するステップである。続いて、ステップＳ１０５に進み、上記処理を繰り返す。
【００５９】
図５は、実施形態に係わる電子機器で行なわれる、テロップや警告音の検出および除去処理動作の詳細を説明するフローチャートである。
【００６０】
ステップＳ２００は、ここでの開始ステップである。続いて、ステップＳ２０１およびステップＳ２０７に進む。
【００６１】
ステップＳ２０１は、画像読み込み間隔がＴＶ１であるかを判別するステップである。画像読み込み間隔がＴＶ１であると判別される場合は、ステップＳ２０２に進む（Ｙｅｓ）。画像読み込み間隔がＴＶ１ではないと判別される場合は、ここでの処理を繰り返す（Ｎｏ）。
【００６２】
ステップＳ２０２は、画像を読み込むステップである。続いて、ステップＳ２０３に進む。
【００６３】
ステップＳ２０３は、第１検出、すなわち、間隔ＴＶ１でテロップ検出を行うステップである。続いて、ステップＳ２０４に進む。
【００６４】
ステップＳ２０４は、テロップが検出されたかを判別するステップである。テロップが検出されたと判別される場合は、ステップＳ２０５に進む（Ｙｅｓ）。テロップが検出されたと判別されない場合は、ステップＳ２０１に進み、上記処理を繰り返す（Ｎｏ）。
【００６５】
ステップＳ２０５は、テロップの検出間隔を変更するステップである。すなわち、上記ＴＶ１（数十秒程度）をＴＶ２（数百ミリ秒程度）に変更する。続いて、ステップＳ２０６に進む。
【００６６】
ステップＳ２０６は、警告音の検出間隔を変更するステップである。すなわち、上記ＴＡ１（数十秒程度）をＴＡ２（数百ミリ秒程度）に変更する。続いて、ステップＳ２１３に進む。
【００６７】
ステップＳ２０７は、音声読み込み間隔がＴＡ１であるかを判別するステップである。音声読み込み間隔がＴＡ１であると判別される場合は、ステップＳ２０８に進む（Ｙｅｓ）。音声読み込み間隔がＴＡ１ではないと判別される場合は、ここでの処理を繰り返す（Ｎｏ）。
【００６８】
ステップＳ２０８は、音声を読み込むステップである。続いて、ステップＳ２０９に進む。
【００６９】
ステップＳ２０９は、第１検出、すなわち、間隔ＴＡ１で警告音検出を行うステップである。続いて、ステップＳ２１０に進む。
【００７０】
ステップＳ２１０は、警告音が検出されたかを判別するステップである。警告音が検出されたと判別される場合は、ステップＳ２１１に進む（Ｙｅｓ）。警告音が検出されたと判別されない場合は、ステップＳ２０７に進み、上記処理を繰り返す（Ｎｏ）。
【００７１】
ステップＳ２１１は、警告音の検出間隔を変更するステップである。すなわち、上記ＴＡ１（数十秒程度）をＴＡ２（数百ミリ秒程度）に変更する。続いて、ステップＳ２１２に進む。
【００７２】
ステップＳ２１２は、テロップの検出間隔を変更するステップである。すなわち、上記ＴＶ１（数十秒程度）をＴＶ２（数百ミリ秒程度）に変更する。続いて、ステップＳ２１３に進む。
【００７３】
ステップＳ２１３は、第２検出、すなわち、テロップ検出（間隔ＴＶ２）と警告音検出（間隔ＴＡ２）の両方を行うステップである。続いて、ステップＳ２１４に進む。
【００７４】
ステップＳ２１４は、終了ステップであり、ここでの処理は終了する。
【００７５】
すなわち、この実施形態においては、上記第１検出（ステップＳ２０３、ステップＳ２０９）において、テロップまたは警告音の少なくとも１つが検出されると、テロップと警告音、両者の検出間隔を短い間隔に変更し、第２検出でテロップ検出（間隔ＴＶ２）と警告音検出（間隔ＴＡ２）の両方を行う。
【００７６】
すなわち、この実施形態においては、上記のように、速報テロップや警告音の検出を、通常時と検出時で変更するようにしている。
【００７７】
例えば、上記のように、テロップ検出における第１の画像読み込み間隔と第１の警告音読み込み間隔を変更する。
【００７８】
そして、第１の画像読み込み間隔でテロップ検出を行っている際に、速報テロップが検出された場合、その検出間隔と警告音検出間隔を予め定められた値へ変更する。
【００７９】
同様に、第１の警告音読み込み間隔で警告音検出を行っていた場合に、速報の警告音が検出された場合にも、テロップ検出間隔と警告音検出間隔を変更する。
【００８０】
このように、テロップ検出結果、警告音検出結果を相互に制御することで検出性能を保持し、演算量を削減することが可能になる。
【００８１】
図６は、他の実施形態に係わる電子機器の構成を示すブロック図である。
【００８２】
ここでは、例えば、テロップ検出５ａと警告音検出６ａの結果を相互に確認し、速報の有無を判定する（速報判定部６１）。
【００８３】
この速報判定部６１では、例えば、テロップや警告音が検出された場合、未検出を抑制するため、それぞれ検出におけるパラメータを変更する。
【００８４】
その結果、テロップが検出または警告音が検出されているときは、速報が放送されていると判断し、テロップ除去や警告音除去を行う。
【００８５】
また、図６に示すように、参照警告音格納部６２には、例えば、警告音検出部６ａで用いられる参照警告音が、予め保持されている。
【００８６】
この実施形態においては、速報テロップ、警告音の検出において、相互の結果を元に速報の有無を検出する。例えば、検出候補が上がった場合に、ある区間Ｔｄにおいてテロップ検出特徴量の時間平均Ｘｖ／Ｔｄと、警告音検出特徴量の時間平均Ｙａ／Ｔｄを算出する。
【００８７】
そして、これらの特徴量に対し、重みａ、ｂ、を付加し、平均する（ａＸｖ＋ｂＹａ）／２Ｔｄ。この値が、ある閾値Ｔｈ以上である場合に、速報が存在するとして検出する。これにより、未検出を抑制することが可能になる。
【００８８】
また、テロップが多く付加されている番組や音楽番組等、警告音に類似した音が存在するような番組等での誤検出も抑制することが可能になる。
【００８９】
図７は、他の実施形態に係わる電子機器の構成を示すブロック図である。
【００９０】
ここでは、テロップや警告音の検出に複数の放送局から放送される放送が利用される。
【００９１】
ここでは、テロップ検出５ａ、警告音検出６ａをそれぞれ行った後、速報判定部６１で速報が放送されているかを判定する。
【００９２】
速報の判定は、例えば、テロップの有無、警告音の有無によって重みを変え、全体の一つの値を算出する。そして、その値が予め設定された閾値を上回った場合に、速報が流れていると判断し、指定された局、または全ての局に対して速報除去処理を行う。
【００９３】
すなわち、この実施形態においては、例えば、速報の誤検出や未検出を抑制し、ロバスト性を向上させるため、複数の放送局からニュース速報が放送されているかを確認する。
【００９４】
例えば、放送局毎にテロップ検出と警告音検出で算出される特徴量をそれぞれＸｖ１，Ｘｖ２，・・・，Ｙａ１，Ｙａ２，・・・とし、それぞれテロップ検出の閾値Ｔｈｖ，警告音検出の閾値Ｔｈａと比較して、テロップや警告音が存在するかを算出する。
【００９５】
ここで、ある放送局Ｓにおいて、テロップの有無ＴＳｆｌａｇ警告音の有無ＡＳｆｌａｇからＸｖＳ’，ＹａＳ’の値を設定する。
【００９６】
これは、ＴＳｆｌａｇとＡＳｆｌａｇの両方が存在するときに大きくなるような重みＷａ，両方存在しない場合には小さく設定するような重みＷｂをかけて算出する。
【００９７】
得られたＸｖ１’,Ｘｖ２’,・・・とＹａ１’,Ｙａ２’,・・・を平均し、個の値が閾値Ｔｈ以上である場合には、複数の放送局で速報が放送されていると判定する。
【００９８】
これにより、速報の未検出だけではなく、誤検出も抑制でき、複数局の速報検出を同時に実現することが可能になる。
【００９９】
また、警告音検出においては、音楽番組など放送されている番組によって、検出性能が下がる場合が予想される。
【０１００】
そのため、警告音検出の際は、ＥＰＧ等から得られた番組のジャンルを用いて、ジャンルにおける信頼度を導入しても良い。
【０１０１】
例えば、比較的警告音検出が信頼できるニュース番組や、警告音と類似した信号が考えられる音楽番組等、番組ジャンル毎に、警告音検出で算出される特徴量に対して、信頼度に応じて、警告音特徴量Ｙａに対して、重み係数Ｗａを掛け合わせても良い。
【０１０２】
これにより、演算量の増加を抑制しながら誤検出を抑制することが可能となる。
【０１０３】
すなわち、この実施形態の電子機器においては、映像コンテンツを受信し、前記映像コンテンツに含まれるテロップと警告音を、それぞれ第１の画像読み込み間隔と第１の警告音読み込み間隔で検出する第１検出部（例えば、映像処理部５、音声処理部６、制御部１１等）を備える。
【０１０４】
また、上記映像コンテンツからテロップと警告音の少なくとも１つが検出された場合に、上記映像コンテンツに含まれるテロップと警告音を、それぞれ上記第１の画像読み込み間隔より短い第２の画像読み込み間隔と上記第１の警告音読み込み間隔より短い第２の警告音読み込み間隔で検出する第２検出部（例えば、映像処理部５、音声処理部６、制御部１１等）を備える。
【０１０５】
また、上記第２の画像読み込み間隔と上記第２の警告音読み込み間隔は予め設定され（例えば、フラッシュメモリ１５等）、上記第１検出部で前記テロップと前記警告音の少なくとも１つが検出された場合に、例えば、制御部１１に指示され、それぞれ差し替えられる。
【０１０６】
また、上記第２検出部でテロップが検出された場合に、上記映像コンテンツから検出されたテロップを除去する（例えば、映像処理部５、制御部１１等）を備える。
【０１０７】
また、上記第２検出部で警告音が検出された場合に、上記映像コンテンツから検出された警告音を除去する（例えば、音声処理部６、制御部１１等）を備える。
【０１０８】
また、上記第２検出部でテロップおよび警告音が検出されない場合は、前記第１検出部の検出を行う（例えば、映像処理部５、音声処理部６、制御部１１等）を備える。
【０１０９】
また、上記第２検出部で検出されたテロップおよび警告音に、予め設定された重み付けを用い、速報を判定する速報判定部（例えば、映像処理部５、音声処理部６、制御部１１等）を備える。
【０１１０】
また、上記映像コンテンツとして、複数の放送局から放送された複数放送番組を用いる（図７）。
【０１１１】
上記のように構成することによって、この実施形態においては、映像コンテンツの視聴の妨げを低減することが可能になる。
【０１１２】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１３】
なお、上記実施形態は、記述そのものに限定されるものではなく、実施段階では、その趣旨を逸脱しない範囲で、構成要素を種々変形して具体化することが可能である。
【０１１４】
また、上記実施形態に開示されている複数の構成要素の適宜な組み合せにより種々の発明を形成できる。
【０１１５】
例えば、実施形態に示される全構成要素から幾つかの構成要素を削除してもよい。更に、異なる実施形態に亘る構成要素を適宜組み合せてもよい。
【符号の説明】
【０１１６】
２…アンテナ、３…チューナ、４…デコーダ（信号処理部）、５ａ…テロップ検出部、５ｂ…テロップ除去部、５ｃ…表示制御部、６ａ…警告音検出部、６ｂ…警告音除去部、６ｃ…音声信号制御部、８…ディスプレイ、９…スピーカ。
【要約】
【課題】
映像コンテンツの視聴の妨げを低減することが課題になっていた。
【解決手段】
実施形態の電子機器は、映像コンテンツを受信し、前記映像コンテンツに含まれるテロップと警告音を、それぞれ第１の画像読み込み間隔と第１の警告音読み込み間隔で検出する第１検出部を備える。
また、上記映像コンテンツからテロップと警告音の少なくとも１つが検出された場合に、前記映像コンテンツに含まれるテロップと警告音を、それぞれ前記第１の画像読み込み間隔より短い第２の画像読み込み間隔と前記第１の警告音読み込み間隔より短い第２の警告音読み込み間隔で検出する第２検出部を備える。
【選択図】  図３【図１】
0005349649.tif 000002
【図２】
0005349649.tif 000003
【図３】
0005349649.tif 000004
【図４】
0005349649.tif 000005
【図５】
0005349649.tif 000006
【図６】
0005349649.tif 000007
【図７】
0005349649.tif 000008